(57)【要約】【課題】誰が作っても一定品質を担保でき、ユーザの志向に合わせたサイト作成用画像を選択できるサイト作成用画像選択支援方法を提供すること。【解決手段】サーバーが、それぞれのサイト作成用画像５ａ、５ｂ、５ｃ、５ｄについて予め付与されるタグを、関連づけて記憶するタグ記憶ステップと、複数の志向確認画像の中からユーザのイメージに近い志向確認画像の選択を促す志向確認画像選択ステップと、志向確認画像に付与されているタグと同一キーワードが付与されているサイト作成用画像５ａ、５ｂ、５ｃ、５ｄを抽出する画像抽出ステップと、複数のサイト作成用画像５ａ、５ｂ、５ｃ、５ｄの中からウェブデザインに用いるサイト作成用画像５ａ、５ｂ、５ｃ、５ｄの選択を促すサイト作成用画像選択ステップとを有することを特徴とする。【選択図】        図１
2019207507.tif 000002
【特許請求の範囲】
【請求項１】
ホームページのウェブデザインに用いるサイト作成用画像の選択を支援するサイト作成用画像選択支援方法であって、
サーバーが、
ユーザが選択可能な前記サイト作成用画像に、それぞれの前記サイト作成用画像について予め付与されるタグを、関連づけて記憶するタグ記憶ステップと、
前記ユーザに対して、複数の志向確認画像を表示し、複数の前記志向確認画像の中から前記ユーザのイメージに近い前記志向確認画像の選択を促す志向確認画像選択ステップと、
前記志向確認画像選択ステップで選択された前記志向確認画像に付与されている前記タグと同一キーワードが付与されている前記サイト作成用画像を抽出する画像抽出ステップと、
前記ユーザに対して、前記画像抽出ステップで抽出された複数の前記サイト作成用画像を表示し、複数の前記サイト作成用画像の中から前記ウェブデザインに用いる前記サイト作成用画像の選択を促すサイト作成用画像選択ステップと
を有する
ことを特徴とするサイト作成用画像選択支援方法。
【請求項２】
前記タグ記憶ステップで記憶する前記タグには、業種タグを含み、
前記サーバーが、
前記ユーザに対して、前記ユーザの業種の選択を促す業種選択ステップ
を更に有し、
前記画像抽出ステップでは、
前記業種選択ステップで選択された前記業種の前記業種タグが付与されている前記サイト作成用画像を抽出する
ことを特徴とする請求項１に記載のサイト作成用画像選択支援方法。
【請求項３】
前記タグ記憶ステップで記憶する前記タグには、被写体の情報を表す被写体タグと、雰囲気情報を表す雰囲気タグとを含み、
前記志向確認画像選択ステップとして、
前記被写体に関する第１志向確認画像選択ステップと、
前記雰囲気に関する第２志向確認画像選択ステップと
を有し、
前記画像抽出ステップでは、
前記第１志向確認画像選択ステップで前記ユーザが選択した前記志向確認画像に付与されている前記被写体タグと同一キーワードが付与され、かつ前記第２志向確認画像選択ステップで前記ユーザが選択した前記志向確認画像に付与されている前記雰囲気タグと同一キーワードが付与されている前記サイト作成用画像を抽出する
ことを特徴とする請求項１又は請求項２に記載のサイト作成用画像選択支援方法。
【請求項４】
前記タグ記憶ステップで記憶する前記タグには、前記サイト作成用画像としての適性を評価した奨励度タグを含み、
前記第１志向確認画像選択ステップでは、複数の前記志向確認画像の選択とそれらの好み順の入力を促し、
前記第２志向確認画像選択ステップでは、複数の前記志向確認画像の選択とそれらの好み順の入力を促し、
前記サイト作成用画像選択ステップで表示する前記サイト作成用画像は、
前記奨励度タグによる奨励度スコア、前記第１志向確認画像選択ステップで入力された前記被写体タグの前記好み順による被写体スコア、及び前記第２志向確認画像選択ステップで入力された前記雰囲気タグの前記好み順による雰囲気スコアによって表示優先度が決定される
ことを特徴とする請求項３に記載のサイト作成用画像選択支援方法。
【請求項５】
前記タグ記憶ステップで記憶する前記タグには、前記サイト作成用画像から受ける感覚を表すテイストタグを含み、
前記サーバーが、
前記ユーザに対して、会社名、代表者名、本社所在地についての会社情報の入力を促す基本情報入力ステップと、
前記ユーザに対して、提供するサービス又は製品についての事業情報の入力を促す事業内容入力ステップと、
前記志向確認画像選択ステップで選択された前記志向確認画像に付与されている前記テイストタグを抽出するテイストタグ抽出ステップと
を更に有し、
サイト作成用画像選択ステップでは、
前記基本情報入力ステップで入力された前記会社情報、及び前記事業内容入力ステップで入力された前記事業情報が書き込まれ、更に前記テイストタグ抽出ステップで抽出された前記テイストタグに応じたデザインとした前記サイト作成用画像を表示する
ことを特徴とする請求項４に記載のサイト作成用画像選択支援方法。
【発明の詳細な説明】
【技術分野】
【０００１】
本発明は、ホームページのウェブデザインに用いるサイト作成用画像の選択を支援するサイト作成用画像選択支援方法に関する。
【背景技術】
【０００２】
特許文献１は、より多くのバリエーションでウェブページのデザインデータを生成することができるウェブデザイン生成システムを提案している。
特許文献１によれば、ウェブページの各表示領域のデザインとして使用可能な複数種類のモジュールを含むスタイルシートデータを用いて、各モジュールを表示領域ごとにスタイルシートデータ記憶部から読み出して組み合わせる。これにより、各モジュールの組み合わせの数だけウェブページのデザインのバリエーションを確保することができるため、より多くのバリエーションでウェブページのデザインデータを生成することができる。
【先行技術文献】
【特許文献】
【０００３】
【特許文献１】特開２０１４−４８７９２号公報
【発明の開示】
【発明が解決しようとする課題】
【０００４】
特許文献１によれば、より多くのバリエーションでウェブページのデザインデータを生成できる反面、ユーザの負担が大きく、デザイン性はユーザのセンスに影響し、必ずしも一定品質が担保されるわけではない。
【０００５】
そこで本発明は、誰が作っても一定品質を担保でき、ユーザの志向に合わせたサイト作成用画像を選択できるサイト作成用画像選択支援方法を提供することを目的とする。
【課題を解決するための手段】
【０００６】
請求項１記載の本発明のサイト作成用画像選択支援方法は、ホームページのウェブデザインに用いるサイト作成用画像５ａ、５ｂ、５ｃ、５ｄの選択を支援するサイト作成用画像選択支援方法であって、サーバーが、ユーザが選択可能な前記サイト作成用画像５ａ、５ｂ、５ｃ、５ｄに、それぞれの前記サイト作成用画像５ａ、５ｂ、５ｃ、５ｄについて予め付与されるタグを、関連づけて記憶するタグ記憶ステップと、前記ユーザに対して、複数の志向確認画像を表示し、複数の前記志向確認画像の中から前記ユーザのイメージに近い前記志向確認画像の選択を促す志向確認画像選択ステップと、前記志向確認画像選択ステップで選択された前記志向確認画像に付与されている前記タグと同一キーワードが付与されている前記サイト作成用画像５ａ、５ｂ、５ｃ、５ｄを抽出する画像抽出ステップと、前記ユーザに対して、前記画像抽出ステップで抽出された複数の前記サイト作成用画像５ａ、５ｂ、５ｃ、５ｄを表示し、複数の前記サイト作成用画像５ａ、５ｂ、５ｃ、５ｄの中から前記ウェブデザインに用いる前記サイト作成用画像５ａ、５ｂ、５ｃ、５ｄの選択を促すサイト作成用画像選択ステップとを有することを特徴とする。
請求項２記載の本発明は、請求項１に記載のサイト作成用画像選択支援方法において、前記タグ記憶ステップで記憶する前記タグには、業種タグを含み、前記サーバーが、前記ユーザに対して、前記ユーザの業種の選択を促す業種選択ステップを更に有し、前記画像抽出ステップでは、前記業種選択ステップで選択された前記業種の前記業種タグが付与されている前記サイト作成用画像５ａ、５ｂ、５ｃ、５ｄを抽出することを特徴とする。
請求項３記載の本発明は、請求項１又は請求項２に記載のサイト作成用画像選択支援方法において、前記タグ記憶ステップで記憶する前記タグには、被写体の情報を表す被写体タグと、雰囲気情報を表す雰囲気タグとを含み、前記志向確認画像選択ステップとして、前記被写体に関する第１志向確認画像選択ステップと、前記雰囲気に関する第２志向確認画像選択ステップとを有し、前記画像抽出ステップでは、前記第１志向確認画像選択ステップで前記ユーザが選択した前記志向確認画像に付与されている前記被写体タグと同一キーワードが付与され、かつ前記第２志向確認画像選択ステップで前記ユーザが選択した前記志向確認画像に付与されている前記雰囲気タグと同一キーワードが付与されている前記サイト作成用画像５ａ、５ｂ、５ｃ、５ｄを抽出することを特徴とする。
請求項４記載の本発明は、請求項３に記載のサイト作成用画像選択支援方法において、前記タグ記憶ステップで記憶する前記タグには、前記サイト作成用画像としての適性を評価した奨励度タグを含み、前記第１志向確認画像選択ステップでは、複数の前記志向確認画像の選択とそれらの好み順の入力を促し、前記第２志向確認画像選択ステップでは、複数の前記志向確認画像の選択とそれらの好み順の入力を促し、前記サイト作成用画像選択ステップで表示する前記サイト作成用画像５ａ、５ｂ、５ｃ、５ｄは、前記奨励度タグによる奨励度スコア、前記第１志向確認画像選択ステップで入力された前記被写体タグの前記好み順による被写体スコア、及び前記第２志向確認画像選択ステップで入力された前記雰囲気タグの前記好み順による雰囲気スコアによって表示優先度が決定されることを特徴とする。
請求項５記載の本発明は、請求項４に記載のサイト作成用画像選択支援方法において、前記タグ記憶ステップで記憶する前記タグには、前記サイト作成用画像５ａ、５ｂ、５ｃ、５ｄから受ける感覚を表すテイストタグを含み、前記サーバーが、前記ユーザに対して、会社名、代表者名、本社所在地についての会社情報の入力を促す基本情報入力ステップと、前記ユーザに対して、提供するサービス又は製品についての事業情報の入力を促す事業内容入力ステップと、前記志向確認画像選択ステップで選択された前記志向確認画像に付与されている前記テイストタグを抽出するテイストタグ抽出ステップとを更に有し、サイト作成用画像選択ステップでは、前記基本情報入力ステップで入力された前記会社情報、及び前記事業内容入力ステップで入力された前記事業情報が書き込まれ、更に前記テイストタグ抽出ステップで抽出された前記テイストタグに応じたデザインとした前記サイト作成用画像５ａ、５ｂ、５ｃ、５ｄを表示することを特徴とする。
【発明の効果】
【０００７】
本発明によれば、ユーザの志向に合わせたサイト作成用画像を提供することができる。
【図面の簡単な説明】
【０００８】
【図１】本発明の一実施例によるサイト作成用画像選択支援方法の処理流れを示す概念図
【図２】同サイト作成用画像選択支援方法に用いるスタート画面
【図３】同サイト作成用画像選択支援方法でユーザに第１志向確認画像の選択を促す表示画面
【図４】図３に示す表示画面で志向確認画像が選択されたイメージを示す表示画面
【図５】同サイト作成用画像選択支援方法でユーザに第２志向確認画像の選択を促す表示画面
【図６】図５に示す表示画面で志向確認画像が選択されたイメージを示す表示画面
【図７】同サイト作成用画像選択支援方法でユーザに業種の選択を促す表示画面
【図８】図７に示す表示画面で業種が選択されたイメージを示す表示画面
【図９】同サイト作成用画像選択支援方法でユーザに会社情報の入力を促す表示画面
【図１０】同サイト作成用画像選択支援方法でユーザに事業情報の入力を促す表示画面
【図１１】同サイト作成用画像選択支援方法で表示されるサイト作成用画像の表示画面
【発明を実施するための形態】
【０００９】
本発明の第１の実施の形態によるサイト作成用画像選択支援方法は、サーバーが、ユーザが選択可能なサイト作成用画像に、それぞれのサイト作成用画像について予め付与されるタグを、サイト作成用画像に関連づけて記憶するタグ記憶ステップと、ユーザに対して、複数の志向確認画像を表示し、複数の志向確認画像の中からユーザのイメージに近い志向確認画像の選択を促す志向確認画像選択ステップと、志向確認画像選択ステップで選択された志向確認画像に付与されているタグと同一キーワードが付与されているサイト作成用画像を抽出する画像抽出ステップと、ユーザに対して、画像抽出ステップで抽出された複数のサイト作成用画像を表示し、複数のサイト作成用画像の中からウェブデザインに用いるサイト作成用画像の選択を促すサイト作成用画像選択ステップとを有するものである。
本実施の形態によれば、ユーザの志向に合わせたサイト作成用画像を提供することができる。
【００１０】
本発明の第２の実施の形態は、第１の実施の形態によるサイト作成用画像選択支援方法において、タグ記憶ステップで記憶するタグには、業種タグを含み、サーバーが、ユーザに対して、ユーザの業種の選択を促す業種選択ステップを更に有し、画像抽出ステップでは、業種選択ステップで選択された業種の業種タグが付与されているサイト作成用画像を抽出するものである。
本実施の形態によれば、業種によって適さないサイト作成用画像を除外できるため、一定の品質を担保することができる。
【００１１】
本発明の第３の実施の形態は、第１又は第２の実施の形態によるサイト作成用画像選択支援方法において、タグ記憶ステップで記憶するタグには、被写体の情報を表す被写体タグと、雰囲気情報を表す雰囲気タグとを含み、志向確認画像選択ステップとして、被写体に関する第１志向確認画像選択ステップと、雰囲気に関する第２志向確認画像選択ステップとを有し、画像抽出ステップでは、第１志向確認画像選択ステップでユーザが選択した志向確認画像に付与されている被写体タグと同一キーワードが付与され、かつ第２志向確認画像選択ステップでユーザが選択した志向確認画像に付与されている雰囲気タグと同一キーワードが付与されているサイト作成用画像を抽出するものである。
本実施の形態によれば、ユーザに対してより的確なサイト作成用画像を表示できる。
【００１２】
本発明の第４の実施の形態は、第３の実施の形態によるサイト作成用画像選択支援方法において、タグ記憶ステップで記憶するタグには、サイト作成用画像としての適性を評価した奨励度タグを含み、第１志向確認画像選択ステップでは、複数の志向確認画像の選択とそれらの好み順の入力を促し、第２志向確認画像選択ステップでは、複数の志向確認画像の選択とそれらの好み順の入力を促し、サイト作成用画像選択ステップで表示するサイト作成用画像は、奨励度タグによる奨励度スコア、第１志向確認画像選択ステップで入力された被写体タグの好み順による被写体スコア、及び第２志向確認画像選択ステップで入力された雰囲気タグの好み順による雰囲気スコアによって表示優先度が決定されるものである。
本実施の形態によれば、更に的確なサイト作成用画像を提供できる。
【００１３】
本発明の第５の実施の形態は、第４の実施の形態によるサイト作成用画像選択支援方法において、タグ記憶ステップで記憶するタグには、サイト作成用画像から受ける感覚を表すテイストタグを含み、サーバーが、ユーザに対して、会社名、代表者名、本社所在地についての会社情報の入力を促す基本情報入力ステップと、ユーザに対して、提供するサービス又は製品についての事業情報の入力を促す事業内容入力ステップと、志向確認画像選択ステップで選択された志向確認画像に付与されているテイストタグを抽出するテイストタグ抽出ステップとを更に有し、サイト作成用画像選択ステップでは、基本情報入力ステップで入力された会社情報、及び事業内容入力ステップで入力された事業情報が書き込まれ、更にテイストタグ抽出ステップで抽出されたテイストタグに応じたデザインとしたサイト作成用画像を表示するものである。
本実施の形態によれば、テイストタグを用いることでユーザ志向属性を判断できるため、テイストタグに応じたデザインとしてサイト作成用画像を提供できるとともに、会社情報や事業情報が書き込まれた状態で表示されることで具体的なイメージで提供されたサイト作成用画像を判断できる。
【実施例】
【００１４】
以下本発明の一実施例によるサイト作成用画像選択支援方法について説明する。
図１は本実施例によるサイト作成用画像選択支援方法の処理流れを示す概念図、図２は同サイト作成用画像選択支援方法に用いるスタート画面、図３は同サイト作成用画像選択支援方法でユーザに第１志向確認画像の選択を促す表示画面、図４は図３に示す表示画面で志向確認画像が選択されたイメージを示す表示画面、図５は同サイト作成用画像選択支援方法でユーザに第２志向確認画像の選択を促す表示画面、図６は図５に示す表示画面で志向確認画像が選択されたイメージを示す表示画面、図７は同サイト作成用画像選択支援方法でユーザに業種の選択を促す表示画面、図８は図７に示す表示画面で業種が選択されたイメージを示す表示画面、図９は同サイト作成用画像選択支援方法でユーザに会社情報の入力を促す表示画面、図１０は同サイト作成用画像選択支援方法でユーザに事業情報の入力を促す表示画面、図１１は同サイト作成用画像選択支援方法で表示されるサイト作成用画像の表示画面である。
【００１５】
本実施例によるサイト作成用画像選択支援方法は、ホームページのウェブデザインに用いるサイト作成用画像の選択を支援するものである。
サーバーは、タグ記憶ステップ１０と、志向確認画像選択ステップ２０と、業種選択ステップ３０と、基本情報入力ステップ４０と、事業内容入力ステップ５０と、画像抽出ステップ６０と、入力情報の抽出ステップ７０と、テイストタグ抽出ステップ８０と、サイト作成用画像選択ステップ９０とを有している。
【００１６】
タグ記憶ステップ１０では、ユーザが選択可能なサイト作成用画像に、それぞれのサイト作成用画像について予め付与されるタグを、サイト作成用画像に関連づけて記憶する。
タグ記憶ステップ１０で記憶するタグは、テイストタグ、被写体タグ、雰囲気タグ、業種タグ、及び奨励度タグである。
Ｓ１１では、サイト作成用画像に対して、サイト作成用画像から受ける感覚を表すテイストタグを付与する。テイストタグは、例えば、先進感、信頼感、及び親近感のいずれかの属性であり、これらの複数の属性の中から一つの属性を付与する。
Ｓ１２では、サイト作成用画像に対して、サイト作成用画像の被写体の情報を表す被写体タグを付与する。被写体タグは、例えば、人物、モノ、生物、風景、インテリア、及びアートのいずれかの属性であり、これらの複数の属性の中から一つの属性を付与する。
Ｓ１３では、サイト作成用画像に対して、サイト作成用画像の雰囲気情報を表す雰囲気タグを付与する。雰囲気タグは、例えば、高級、シンプル、カジュアル、ポップ、和風、及びクールアーバンのいずれかの属性であり、これらの複数の属性の中から一つの属性を付与する。
Ｓ１４では、サイト作成用画像に対して、サイト作成画像１をホームページのウェブデザインに用いることができるか否かを判断し、ホームページのウェブデザインに用いることができる職業に選択可能タグを付与する。業種タグ５Ｃは、一つのサイト作成用画像１に対して複数の職業に対して付与できる。
Ｓ１５では、サイト作成用画像に対して、サイト作成用画像としての適性を評価した奨励度タグを付与する。奨励度タグは、例えば、３段階評価として優先度を付与する。
サーバーは、Ｓ１１からＳ１５で付与されたタグをサイト作成用画像に関連づけて記憶手段に記憶する（Ｓ１６）。
【００１７】
志向確認画像選択ステップ２０では、ユーザに対して、処理手順を表示する（Ｓ２１）。図２はＳ２１の処理手順を表示させたスタート画面である。
ユーザによって開始が指示されると、サーバーはユーザに対して被写体に関する第１志向確認画像を表示し、第１志向確認画像の選択を促す（Ｓ２２）。
被写体に関する第１志向確認画像選択ステップ（Ｓ２２）では、6つの各画像のブロック１ａ、１ｂ、１ｃ、１ｄ、１ｅ、１ｆに、それぞれ6枚の画像を表示する。
図３は、第１志向確認画像の選択を促す表示画面である。ブロック１ａには６枚の人物の画像、ブロック１ｂには６枚のモノの画像、ブロック１ｃには６枚の生物の画像、ブロック１ｄには６枚の風景の画像、ブロック１ｅには６枚のインテリアの画像、ブロック１ｆには６枚のアートの画像をそれぞれ表示している。
【００１８】
このように、Ｓ２２では、複数の志向確認画像の選択とそれらの好み順の入力を促す。
図４は、図３に示す表示画面で志向確認画像が選択されたイメージを示す表示画面である。
図４では、ユーザは、複数の志向確認画像を表示する6つの各画像のブロック１ａ、１ｂ、１ｃ、１ｄ、１ｅ、１ｆの中からユーザのイメージに近い志向確認画像として、ブロック１ａ、ブロック１ｂ、及びブロック１ｅを選択し、ブロック１ａを優先度１、ブロック１ｂを優先度３、ブロック１ｅを優先度２としたことを示している。
【００１９】
図４に示すように、ユーザが第１志向確認画像を選択すると（Ｓ２３）、サーバーはユーザに対して雰囲気に関する第２志向確認画像を表示し、第２志向確認画像の選択を促す（Ｓ２４）。
雰囲気に関する第２志向確認画像選択ステップ（Ｓ２４）では、6つの各画像のブロック２ａ、２ｂ、２ｃ、２ｄ、２ｅ、２ｆに、それぞれ6枚の画像を表示する。
図５は、第２志向確認画像の選択を促す表示画面である。ブロック２ａには６枚の高級を表す画像、ブロック２ｂには６枚のシンプルを表す画像、ブロック２ｃには６枚のカジュアルを表す画像、ブロック２ｄには６枚のポップを表す画像、ブロック２ｅには６枚の和風を表す画像、ブロック２ｆには６枚のクールアーバンを表す画像をそれぞれ表示している。
【００２０】
このように、Ｓ２４では、複数の志向確認画像の選択とそれらの好み順の入力を促す。
図６は、図５に示す表示画面で志向確認画像が選択されたイメージを示す表示画面である。
図６では、ユーザは、複数の志向確認画像を表示する6つの各画像のブロック２ａ、２ｂ、２ｃ、２ｄ、２ｅ、２ｆの中からユーザのイメージに近い志向確認画像として、ブロック２ｂ、ブロック２ｃ、及びブロック２ｆを選択し、ブロック２ｂを優先度１、ブロック２ｃを優先度２、ブロック２ｆを優先度３としたことを示している。
図６に示すように、ユーザが第２志向確認画像を選択すると（Ｓ２５）、サーバーはユーザに対して業種に関する画像を表示し、業種の選択を促す（Ｓ３１）。
図７は、業種の選択を促す表示画面である。図７では、業種を５つの大分類３ａ、３ｂ、３ｃ、３ｄ、３ｅに区分し、いずれかの大分類が選択されることで、その大分類の中に属する具体的な業種を区分して表示している。
【００２１】
このように、Ｓ３１では、業種画像の選択を促す。
図８は、図７に示す表示画面で業種が選択されたイメージを示す表示画面である。
図８では、ユーザが業種画像の中から業種画像４ａが選択したことを示している（Ｓ３２）。
【００２２】
基本情報入力ステップ４０では、サーバーは、ユーザに対して、会社名、代表者名、本社所在地についての会社情報の入力を促す。
図９は、ユーザに会社情報の入力を促す表示画面である。
【００２３】
事業内容入力ステップ５０では、サーバーは、ユーザに対して、提供するサービス又は製品についての事業情報の入力を促す。
図１０は、ユーザに事業情報の入力を促す表示画面である。
【００２４】
画像抽出ステップ６０では、まずサイト作成用画像の抽出条件を決定する（Ｓ６１）。
Ｓ６１では、Ｓ２３で選択された志向確認画像に付与されている被写体タグ、Ｓ２５で選択された志向確認画像に付与されている雰囲気タグ、Ｓ３２で選択された業種タグを抽出条件とする。
Ｓ２３では、ブロック１ａ、ブロック１ｂ、及びブロック１ｅが選択されているので、被写体タグとして「人物」、「モノ」、及び「インテリア」のいずれかの被写体タグが含まれることが第１抽出条件となり、Ｓ２５では、ブロック２ｂ、ブロック２ｃ、及びブロック２ｆが選択されているので、雰囲気タグとして「シンプル」、「カジュアル」、及び「クールアーバン」のいずれかの雰囲気タグが含まれることが第２抽出条件となり、Ｓ３２では業種画像４ａが選択されているので、業種画像４ａに付与されている業種が第３条件となる。
Ｓ６１における抽出条件は、第１抽出条件、第２抽出条件、及び第３抽出条件の全てを満たし、既に他で使用されていないことを条件に加える。
【００２５】
Ｓ６１における検索条件を用いてサイト作成用画像が抽出される（Ｓ６２）。
Ｓ６２で抽出されたサイト作成用画像については、表示優先度を決定する（Ｓ６３）。
Ｓ６３による表示優先度は、奨励度タグによる奨励度スコア、Ｓ２３で入力された被写体タグの好み順による被写体スコア、及びＳ２５で入力された雰囲気タグの好み順による雰囲気スコアを合計した合計スコアによって表示優先度が決定される。
Ｓ６２で抽出されたサイト作成用画像には、合計スコアが付与され、合計スコアの高い順に表示するサイト作成用画像を抽出する（Ｓ６４）。
【００２６】
入力情報の抽出ステップ７０では、Ｓ４０で入力された基本情報、及びＳ５０で入力された事業内容を抽出する。
【００２７】
テイストタグ抽出ステップ８０では、Ｓ２３で選択された志向確認画像に付与されているテイストタグ、Ｓ２５で選択された志向確認画像に付与されているテイストタグを抽出する。
【００２８】
サイト作成用画像選択ステップ９０では、まずサイト作成用画像のデザインを作成する（Ｓ９１）。
Ｓ９１では、Ｓ６４で抽出したサイト作成用画像を、Ｓ８０で抽出したテイストタグに応じたデザインとし、Ｓ７０で抽出された会社情報、及び事業内容を書き込む。
Ｓ９１では、優先度の高い順に複数、例えば４つのサイト作成用画像を作成し、作成されたサイト作成用画像を表示する（Ｓ９２）。
図１１は、表示されるサイト作成用画像の表示画面を示している。図１１では、優先度の高い４つのサイト作成用画像５ａ、５ｂ、５ｃ、５ｄを表示可能に提供している。
サイト作成用画像５ａ、５ｂ、５ｃ、５ｄについては、テイストタグに応じてデザインされており、会社情報及び事業内容も書き込まれている。
Ｓ９２で表示された複数のサイト作成用画像５ａ、５ｂ、５ｃ、５ｄの中からいずれかを選択できるとともに、表示されたサイト作成用画像５ａ、５ｂ、５ｃ、５ｄでは選択できない場合には、次に優先度の高いサイト作成用画像が抽出され（Ｓ６４）、Ｓ９１によってサイト作成用画像のデザインが作成され、表示される（Ｓ９２）。
このように、Ｓ９２によって表示されたサイト作成用画像５ａ、５ｂ、５ｃ、５ｄの中から選択するか否かをユーザは判断でき（Ｓ９３）、ユーザがいずれかを選択すると（Ｓ９４）、サイト作成用画像が決定する。
【００２９】
以上のように本実施例によれば、テイストタグを用いることでユーザ志向属性を判断できるため、テイストタグに応じたデザインとしてサイト作成用画像を提供できるとともに、会社情報や事業情報が書き込まれた状態で表示されることで具体的なイメージで提供されたサイト作成用画像を判断できる。
【産業上の利用可能性】
【００３０】
本発明のサイト作成用画像選択支援方法によれば、ユーザの志向に合わせたサイト作成用画像を提供でき、提供するサイト作成用画像に対応させてテンプレートを予め作成しておくことで、ユーザは最低限のテキスト情報を入力するだけで、ホームページの制作を行うことができる。
【符号の説明】
【００３１】
１ａ、１ｂ、１ｃ、１ｄ、１ｅ、１ｆ  ブロック
２ａ、２ｂ、２ｃ、２ｄ、２ｅ、２ｆ  ブロック
３ａ、３ｂ、３ｃ、３ｄ、３ｅ  大分類
４ａ  業種画像
５ａ、５ｂ、５ｃ、５ｄ  サイト作成用画像
【図１】
2019207507.tif 000003
【図２】
2019207507.tif 000004
【図３】
2019207507.tif 000005
【図４】
2019207507.tif 000006
【図５】
2019207507.tif 000007
【図６】
2019207507.tif 000008
【図７】
2019207507.tif 000009
【図８】
2019207507.tif 000010
【図９】
2019207507.tif 000011
【図１０】
2019207507.tif 000012
【図１１】
2019207507.tif 000013